【誤訳訂正書】
【提出日】平成30年12月10日(2018.12.10)
【誤訳訂正１】
【訂正対象書類名】特許請求の範囲
【訂正対象項目名】全文
【訂正方法】変更
【訂正の内容】
【特許請求の範囲】
【請求項１】
（ｉ）コバルト及び／又は（ｉｉ）コバルト合金を含む基板（Ｓ）の化学機械研磨のための化学機械研磨（ＣＭＰ）組成物（Ｑ）の使用方法であって、前記ＣＭＰ組成物（Ｑ）が、
（Ａ）無機粒子、
（Ｂ）一般式（Ｉ）、
【化１】
2018506609.tif 000001
（式中、Ｒ１、Ｒ２、Ｒ３、Ｒ４、Ｒ５及びＲ６は、相互に独立して、Ｈ、メチル、エチル、プロピル、ブチル、ペンチル、Ｃ２〜Ｃ１０−アルキルカルボン酸、ヒドロキシメチル、ビニル又はアリルである）
のトリアジン誘導体、
（Ｃ）少なくとも１種のアミノ酸
（Ｄ）少なくとも１種の酸化剤、及び
（Ｅ）水性媒体
を含み、前記ＣＭＰ組成物（Ｑ）が７〜１０のｐＨを有する、化学機械研磨（ＣＭＰ）組成物（Ｑ）の使用方法。
【請求項２】
前記無機粒子（Ａ）がコロイド無機粒子である、請求項１に記載のＣＭＰ組成物（Ｑ）の使用方法。
【請求項３】
前記コロイド無機粒子がシリカ粒子である、請求項１又は２に記載のＣＭＰ組成物（Ｑ）の使用方法。
【請求項４】
前記化合物（Ｂ）が一般式（Ｉ）のものであり、式中、Ｒ１、Ｒ２、Ｒ３、Ｒ４、Ｒ５及びＲ６が、相互に独立して、Ｈ、メチル、エチル、プロピル、ブチル、Ｃ２〜Ｃ１０−アルキルカルボン酸、ヒドロキシメチル又はアリルである、請求項１から３のいずれか一項に記載のＣＭＰ組成物（Ｑ）の使用方法。
【請求項５】
前記化合物（Ｂ）が一般式（Ｉ）のものであり、式中、Ｒ１、Ｒ２、Ｒ３、Ｒ４、Ｒ５及びＲ６が、相互に独立して、Ｈ、メチル、ｔｅｒｔ−ブチル、ヘキサン酸、ヒドロキシメチル又はアリルである、請求項１から４のいずれか一項に記載のＣＭＰ組成物（Ｑ）の使用方法。
【請求項６】
前記一般式（Ｉ）の化合物（Ｂ）の総量が、それぞれのＣＭＰ組成物の総質量に基づいて、０．００３質量％〜０．１質量％の範囲にある、請求項１から５のいずれか一項に記載のＣＭＰ組成物（Ｑ）の使用方法。
【請求項７】
前記少なくとも１種のアミノ酸（Ｃ）が、グリシン、アラニン、ロイシン、バリン、システイン、セリン及びプロリン、又はそれらの塩である、請求項１から６のいずれか一項に記載のＣＭＰ組成物（Ｑ）の使用方法。
【請求項８】
前記少なくとも１種のアミノ酸（Ｃ）の総量が、それぞれのＣＭＰ組成物の総質量に基づいて、０．１質量％〜２．２５質量％の範囲にある、請求項１から７のいずれか一項に記載のＣＭＰ組成物（Ｑ）の使用方法。
【請求項９】
前記酸化剤が過酸化物を含む、請求項１から８のいずれか一項に記載のＣＭＰ組成物（Ｑ）の使用方法。
【請求項１０】
前記酸化剤が過酸化水素である、請求項１から９のいずれか一項に記載のＣＭＰ組成物（Ｑ）の使用方法。
【請求項１１】
化学機械研磨（ＣＭＰ）組成物であって、
（Ａ）それぞれのＣＭＰ組成物の総質量に基づいて、合計で０．０１質量％〜３質量％の量の、コロイドシリカ粒子、
（Ｂ）それぞれのＣＭＰ組成物の総質量に基づいて、合計で０．００３質量％〜０．１５質量％の量の、メラミン、６，６’，６’’−（１，３，５−トリアジン−２，４，６−トリイルトリイミノ）トリヘキサン酸、２，４，６−トリメチルメラミン、ペンタメチルメラミン、｛［ビス（ジメチルアミノ）−１，３，５−トリアジン−２−イル）］（メチル）アミノ｝メタノール、（｛ビス［（ヒドロキシメチル）アミノ）］−１，３，５−トリアジン−２−イル｝アミノ）メタノール、２，４−ジアミノ−６−ジアリルアミノ−１，３，５−トリアジン、（｛ビス［ビス（ヒドロキシメチル）アミノ］−１，３，５−トリアジン−２−イル｝（ヒドロキシル−メチル）アミノ）メタノール、Ｎ２，Ｎ４−ジ−ｔｅｒｔ−ブチル−１，３，５−トリアジン−２，４，６−トリアミン、及びＮ２，Ｎ４−ビス（プロプ−２−エン−１−イル）−１，３，５−トリアジン−２，４，６−トリアミンからなる群から選択された、少なくとも１種のトリアジン誘導体（Ｂ）、
（Ｃ）それぞれのＣＭＰ組成物の総質量に基づいて、合計で０．２質量％〜０．９質量％の量の、グリシン、アラニン、ロイシン、バリン、システイン、セリン及びプロリン、又はそれらの塩からなる群から選択された、少なくとも１種のアミノ酸（Ｃ）、
（Ｄ）それぞれのＣＭＰ組成物の総質量に基づいて、合計で０．２質量％〜２質量％の量の、過酸化水素、
（Ｅ）水性媒体、
を含み、前記ＣＭＰ組成物（Ｑ）が７〜１０のｐＨを有する、化学機械研磨（ＣＭＰ）組成物。
【請求項１２】
請求項１から１１のいずれか一項に記載のＣＭＰ組成物（Ｑ）の存在下で、半導体産業に使用される基板（Ｓ）の化学機械研磨を含む半導体装置を製造する方法であって、前記基板（Ｓ）が、
（ｉ）コバルト、及び／又は
（ｉｉ）コバルト合金
を含む、方法。
【請求項１３】
コバルトの静的エッチング速度（ＳＥＲ）が１００Å／分未満である、請求項１２に記載の方法。
【請求項１４】
コバルトの材料除去速度（ＭＲＲ）を３００〜６０００Å／分の範囲に調整する、請求項１２又は１３に記載の方法。
【誤訳訂正２】
【訂正対象書類名】明細書
【訂正対象項目名】０００５
【訂正方法】変更
【訂正の内容】
【０００５】
超大規模集積回路（ＵＬＳＩ）技術における形状サイズの連続的縮小に伴い、銅相互接続構造のサイズは、ますます小さくなっている。ＲＣ遅延を低下するために、銅相互接続構造内のバリア層又は接着層の厚さは薄くなっている。従来の銅バリア／接着層スタックＴａ／ＴａＮは、Ｔａの抵抗率が比較的に高く、銅をＴａ上に直接電気メッキすることができないので、もはや適切ではない。Ｔａと比較して、コバルトは、抵抗率が低く、安価である。ＣｕとＣｏとの接着性は良好である。ＣｕはＣｏ上で容易に核形成することができ、銅もコバルト上に直接電気メッキすることができる。
【誤訳訂正３】
【訂正対象書類名】明細書
【訂正対象項目名】００１１
【訂正方法】変更
【訂正の内容】
【００１１】
ＵＳ ６５２７６２２ Ｂ１には、基板の研磨方法が開示されている。該方法は、
（ｉ）（ａ）研磨剤及び／又は研磨パッド、（ｂ）液体担体、並びに、（ｃ）ジケトン、ジケトネート、尿素化合物、複素環式窒素含有化合物、複素環式酸素含有化合物、複素環式リン含有化合物、双性イオン性化合物であり得る窒素含有化合物、それらの塩及びそれらの組み合わせからなる群から選択された１種以上の研磨添加剤を含む化学機械研磨系で貴金属含有の基板と接触させる工程を含み、ここで、前記化学機械研磨系が約２〜約１２のｐＨを有する。
【誤訳訂正４】
【訂正対象書類名】明細書
【訂正対象項目名】００１３
【訂正方法】変更
【訂正の内容】
【００１３】
本発明の１つの目的は、コバルト及び／又はコバルト合金を含む基板の化学機械研磨に適し、かつ、向上した研磨性能、特にコバルト及び／又はコバルト合金の低腐食性及びコバルト及び／又はコバルト合金の制御可能で調整可能な材料除去速度を示すＣＭＰ組成物の使用を提供することである。さらに、コバルト及び／又はコバルト合金の高い材料除去速度をもたらし、低ｋ誘電材料及び半導体基板の他の金属材料（例えば、銅）に適合し、高品質の表面仕上げを提供し、ディッシングを低下し、貯蔵安定性を有し、アルカリ性ｐＨ範囲に中和することにすぐに使用することができる、ＣＭＰ組成物の使用が求められた。
【誤訳訂正５】
【訂正対象書類名】明細書
【訂正対象項目名】００１５
【訂正方法】変更
【訂正の内容】
【００１５】
したがって、（ｉ）コバルト及び／又は（ｉｉ）コバルト合金を含む基板（Ｓ）の化学機械研磨のための化学機械研磨（ＣＭＰ）組成物（Ｑ）の使用方法であって、前記ＣＭＰ組成物（Ｑ）が、
（Ａ）無機粒子、
（Ｂ）一般式（Ｉ）、
【化２】
2018506609.tif 000002
（式中、Ｒ１、Ｒ２、Ｒ３、Ｒ４、Ｒ５及びＲ６は、相互に独立して、Ｈ、メチル、エチル、プロピル、ブチル、ペンチル、Ｃ２〜Ｃ１０−アルキルカルボン酸、ヒドロキシメチル、ビニル又はアリルである）
のトリアジン誘導体、
（Ｃ）少なくとも１種のアミノ酸、
（Ｄ）少なくとも１種の酸化剤、及び
（Ｅ）水性媒体
を含み、前記ＣＭＰ組成物（Ｑ）が７〜１０のｐＨを有する。
【誤訳訂正６】
【訂正対象書類名】明細書
【訂正対象項目名】００１６
【訂正方法】変更
【訂正の内容】
【００１６】
本発明のさらなる態様によれば、本発明の目的を満たす、
（Ａ）それぞれのＣＭＰ組成物の総質量に基づいて、合計で０．０１質量％〜３質量％の量の、コロイドシリカ粒子、
（Ｂ）それぞれのＣＭＰ組成物の総質量に基づいて、合計で０．００３質量％〜０．１５質量％の量の、メラミン、６，６’，６’’−（１，３，５−トリアジン−２，４，６−トリイルトリイミノ）トリヘキサン酸、２，４，６−トリメチルメラミン、ペンタメチルメラミン、｛［ビス（ジメチルアミノ）−１，３，５−トリアジン−２−イル）］（メチル）アミノ｝メタノール、（｛ビス［（ヒドロキシメチル）アミノ）］−１，３，５−トリアジン−２−イル｝アミノ）メタノール、２，４−ジアミノ−６−ジアリルアミノ−１，３，５−トリアジン、（｛ビス［ビス（ヒドロキシメチル）アミノ］−１，３，５−トリアジン−２−イル｝（ヒドロキシル−メチル）アミノ）メタノール、Ｎ２，Ｎ４−ジ−ｔｅｒｔ−ブチル−１，３，５−トリアジン−２，４，６−トリアミン、及びＮ２，Ｎ４−ビス（プロプ−２−エン−１−イル）−１，３，５−トリアジン−２，４，６−トリアミンからなる群から選択された、少なくとも１種のトリアジン誘導体（Ｂ）、
（Ｃ）それぞれのＣＭＰ組成物の総質量に基づいて、合計で０．２質量％〜０．９質量％の量の、グリシン、アラニン、ロイシン、バリン、システイン、セリン及びプロリン、又はそれらの塩からなる群から選択された、少なくとも１種のアミノ酸（Ｃ）、
（Ｄ）それぞれのＣＭＰ組成物の総質量に基づいて、合計で０．２質量％〜２質量％の量の、過酸化水素、
（Ｅ）水性媒体、
を含む、化学機械研磨（ＣＭＰ）組成物が提供され、
前記ＣＭＰ組成物（Ｑ）が７〜１０のｐＨを有する。
【誤訳訂正７】
【訂正対象書類名】明細書
【訂正対象項目名】００２１
【訂正方法】変更
【訂正の内容】
【００２１】
一般的には、無機粒子（Ａ）の化学的性質は特に制限されていない。（Ａ）は、同じ化学的性質の粒子、又は異なる化学的性質の粒子の混合物であってもよい。概して、同じ化学的性質の粒子（Ａ）が好ましい。
【誤訳訂正８】
【訂正対象書類名】明細書
【訂正対象項目名】００３３
【訂正方法】変更
【訂正の内容】
【００３３】
式中、懸濁粒子は、（１）球状形態を有し、（２）水性媒体（Ｅ）全体に均一に分散されている（すなわち、凝集していない）と仮定される。η＝０．９６ｍＰａ・ｓ（Ｔ＝２２℃）の水性分散剤（Ｅ）の粘度に有意な偏差がないので、この関係は、１質量％未満の固形分を含有する粒子分散系に有効であると予期される。ヒューム又はドコロイド無機粒子分散系（Ａ）の粒径分布は、通常、固形分濃度０．１〜１．０％のプラスチックキュベット中で測定され、必要に応じて分散媒体又は超純水を用いて希釈される。
【誤訳訂正９】
【訂正対象書類名】明細書
【訂正対象項目名】００３５
【訂正方法】変更
【訂正の内容】
【００３５】
粒子（Ａ）の、ＤＩＮ ＩＳＯ ９２７７：２０１０−０９により決定されたＢＥＴ表面積は、広い範囲内で変化することができる。好ましくは、粒子（Ａ）のＢＥＴ表面積は、１〜５００ｍ２／ｇの範囲、より好ましくは５〜２５０ｍ２／ｇの範囲、最も好ましくは１０〜１００ｍ２／ｇの範囲、特に２０〜９５ｍ２／ｇの範囲、例えば２５〜９２ｍ２／ｇの範囲にある。
【誤訳訂正１０】
【訂正対象書類名】明細書
【訂正対象項目名】００３６
【訂正方法】変更
【訂正の内容】
【００３６】
粒子（Ａ）は様々な形状であり得る。それによって、粒子（Ａ）は、1つ又は本質的に１つのみのタイプの形状であってもよい。しかしながら、粒子（Ａ）は、異なる形状を有してもよい。例えば、２つのタイプの異なる形状の粒子（Ａ）が存在してもよい。例えば、（Ａ）は、かたまり、立方体、斜縁を備えた立方体、八面体、二十面体、コクーン、突起又はくぼみを有するか又は有しないノジュール又は球体の形状を有することができる。好ましくは、それらは本質的に球形であり、それによって、典型的には、これらは突起又はくぼみを有する。
【誤訳訂正１１】
【訂正対象書類名】明細書
【訂正対象項目名】００４９
【訂正方法】変更
【訂正の内容】
【００４９】
例えば、一般式（Ｉ）のトリアジン誘導体（Ｂ）は、メラミン、６，６’，６’’−（１，３，５−トリアジン−２，４，６−トリイルトリイミノ）トリヘキサン酸、２，４，６−トリメチルメラミン、ペンタメチルメラミン、｛［ビス（ジメチルアミノ）−１，３，５−トリアジン−２−イル）］（メチル）アミノ｝メタノール、（｛ビス［（ヒドロキシメチル）アミノ）］−１，３，５−トリアジン−２−イル｝アミノ）メタノール、２，４−ジアミノ−６−ジアリルアミノ−１，３，５−トリアジン、（｛ビス［ビス（ヒドロキシル−メチル）アミノ］−１，３，５−トリアジン−２−イル｝（ヒドロキシル−メチル）アミノ）メタノール、Ｎ２，Ｎ４−ジ−ｔｅｒｔ−ブチル−１，３，５−トリアジン−２，４，６−トリアミン、又はＮ２，Ｎ４−ビス（プロプ−２−エン−１−イル）−１，３，５−トリアジン−２，４，６−トリアミンであってもよい。
【誤訳訂正１２】
【訂正対象書類名】明細書
【訂正対象項目名】００５１
【訂正方法】変更
【訂正の内容】
【００５１】
本発明によれば、使用されたＣＭＰ組成物（Ｑ）中の（Ｂ）の量は、組成物（Ｑ）の総質量に基づいて、０．２質量％以下、好ましくは０．１質量％以下、最も好ましくは０．０９質量％以下、特に０．０６質量％以下である。本発明によれば、（Ｂ）の量は、組成物（Ｑ）の総質量に基づいて、少なくとも０．００１質量％、好ましくは少なくとも０．００２５質量％、より好ましくは少なくとも０．００５質量％、最も好ましくは少なくとも０．００７質量％、特に少なくとも０．００８質量％である。例えば、（Ｂ）の量は、０．００９質量％〜０．０５質量％の範囲にあり得る。
【誤訳訂正１３】
【訂正対象書類名】明細書
【訂正対象項目名】００５４
【訂正方法】変更
【訂正の内容】
【００５４】
少なくとも１種のα−アミノ酸（Ｃ）は、一般式（ＩＩ）、
H2N-CR1R2COOH          (II)
（式中、Ｒ１及びＲ２は、互いに独立して、水素、１種以上の置換基で置換又は置換されない１〜８個の炭素原子を有する環状、分岐状又は直鎖部分であり、前記１種以上の置換基が、−ＣＯＯＨ、−ＣＯＮＨ２、−ＮＨ２、−Ｓ−、−ＯＨ、−ＳＨ（これに制限していない）などの、窒素含有置換基、酸素含有置換基、硫黄含有置換基、並びにそれらの混合物及び塩から選択される）
で表される。
【誤訳訂正１４】
【訂正対象書類名】明細書
【訂正対象項目名】００６６
【訂正方法】変更
【訂正の内容】
【００６６】
さらに、使用された本発明のＣＭＰ組成物は、任意に、少なくとも１種の殺生物剤（Ｈ）、例えば１種の殺生物剤をさらに含有することができる。一般的には、殺生物剤は、化学的又は生物学的手段により、任意の有害生物を抑制、無害化又は制御効果を発揮する化合物である。好ましくは、（Ｈ）は、第４級アンモニウム化合物、イソチアゾリノン系化合物、Ｎ−置換二酸化ジアゾニウム、又はＮ’−ヒドロキシ−ジアゾニウムオキサイド塩である。より好ましくは、（Ｈ）はＮ−置換二酸化ジアゾニウム又はＮ’−ヒドロキシ−ジアゾニウムオキサイド塩である。
【誤訳訂正１５】
【訂正対象書類名】明細書
【訂正対象項目名】００７１
【訂正方法】変更
【訂正の内容】
【００７１】
コバルト及び／又はコバルト合金は、任意のタイプ、形態又は形状であることができる。好ましくは、コバルト及び／又はコバルト合金は層状及び／又はオーバーグロース（overgrowth）の形状を有する。このコバルト及び／又はコバルト合金が層状及び／又はオーバーグロースの形状を有する場合、コバルト及び／又はコバルト合金の含有量は、対応する層及び／又はオーバーグロースの質量に基づいて、好ましくは９０質量％を超え、より好ましくは９５質量％を超え、最も好ましくは９８質量％を超え、特に９９質量％を超え、例えば９９．９質量％を超える。コバルト及び／又はコバルト合金は、好ましくは、他の基板の間のトレンチ又はプラグに充填又は生成され、より好ましくは、誘電材料、例えばＳｉＯ２、シリコン、低ｋ（ＢＤ１、ＢＤ２）又は超低ｋ材料などの誘電材料、又は半導体産業に使用される他の絶縁材料及び半導体材料中のトレンチ又はプラグに充填又は生成される。例えば、シリコン貫通電極（ＴＳＶ）中間処理において、絶縁材料、例えばポリマー、フォトレジスト及び／又はポリイミドは、ウェハの裏面からＴＳＶを露出させた後に絶縁／分離特性のためのウェットエッチング及びＣＭＰの後続の処理工程の間の絶縁材料として使用することができる。銅含有材料と誘電材料との間には、バリア材料の薄層を有することができる。一般的には、金属イオンを誘電材料中に拡散することを防止するためのバリア材料は、例えば、Ｔｉ／ＴｉＮ、Ｔａ／ＴａＮ、又はＲｕ若しくはＲｕ合金、Ｃｏ若しくはＣｏ合金であり得る。
【誤訳訂正１６】
【訂正対象書類名】明細書
【訂正対象項目名】００７５
【訂正方法】変更
【訂正の内容】
【００７５】
一般的には、本発明による方法により製造することができる半導体装置には、特に制限していない。したがって、半導体装置は、半導体材料、例えばシリコン、ゲルマニウム及びＩＩＩ−Ｖ材料を含む電子部品であり得る。半導体装置は、単個のディスクリート素子として製造されたもの、又はウェハ上に製造及び相互接続された複数の素子からなる集積回路（ＩＣｓ）として製造されたものであることができる。半導体装置は、２端子装置（例えば、ダイオード）、３端子装置（例えば、バイポーラトランジスタ）、４端子装置（例えば、ホール効果センサー）、又は多端子装置であり得る。好ましくは、前記半導体装置は多端子装置である。多端子装置は、論理装置、例えば集積回路、及びマイクロプロセッサ又はメモリデバイス、例えばランダムアクセスメモリ（ＲＡＭ）、読み出し専用メモリ（ＲＯＭ）及び相変化ランダムアクセスメモリ（ＰＣＲＡＭ）であり得る。好ましくは、前記半導体装置は多端子論理装置である。特に、前記半導体装置はマイクロプロセッサの集積回路である。
【誤訳訂正１７】
【訂正対象書類名】明細書
【訂正対象項目名】００７６
【訂正方法】変更
【訂正の内容】
【００７６】
一般的には、集積回路において、Ｃｏは、銅相互接続のための接着層又はバリア層として使用される。例えば、メモリデバイス中に、及びＭＯＳＦＥＴ中に金属ゲートとして含まれるＣｏは、そのナノ結晶の形態で存在する。また、コバルトは、電着による銅のメッキを可能にする種として使用することができる。コバルト又はコバルト合金は、銅の代わりに、１層以上の配線として使用することもできる。例えば、コンデンサ（ＣＡＰ）は、金属、絶縁体、金属（ＭＩＭ）の一連の層、及び同じレベルの薄膜抵抗器により形成することができる。回路設計者は、最も低い金属レベルでＴａＮ薄膜抵抗器に配線することができ、該ＴａＮ薄膜抵抗器が、寄生を低下させ、既存の配線レベルをより効率的に使用することができる。誘導体上の、過剰の銅及び／又はコバルト、並びに、例えば金属窒化物又は金属炭素窒化物（例えば、Ｃｏ／ＴａＮ、Ｃｏ／ＴｉＮ、Ｃｏ／ＴａＣＮ、Ｃｏ／ＴｉＣＮ）の形態で、又は例えば単個のコバルト合金層（例えばＣｏＭｏ、ＣｏＴａ、ＣｏＴｉ及びＣｏＷ）としてＣｏを含む接着層及び／又はバリア層は、本発明による化学機械研磨方法により除去することができる。
【誤訳訂正１８】
【訂正対象書類名】明細書
【訂正対象項目名】００７８
【訂正方法】変更
【訂正の内容】
【００７８】
一般的には、このコバルト及び／又はコバルト合金は、任意のタイプ、形態又は形状であり得る。好ましくは、このコバルト及び／又はコバルト合金は、層状及び／又はオーバーグロースの形状を有する。このコバルト及び／又はコバルト合金が層状及び／又はオーバーグロースの形状を有する場合、コバルト及び／又はコバルト合金の含有量は、対応する層及び／又はオーバーグロースの質量に基づいて、好ましくはア９０質量％を超え、より好ましくは９５質量％を超え、最も好ましくは９８質量％を超え、特に９９質量％を超え、例えば９９．９質量％を超える。このコバルト及び／又はコバルト合金は、好ましくは、他の基板の間のトレンチ又はプラグに充填又は生成され、より好ましくは、誘電材料、例えばＳｉＯ２、シリコン、低ｋ（ＢＤ１、ＢＤ２）又は超低ｋ材料などの誘電材料、又は半導体産業に使用される他の絶縁材料及び半導体材料中のトレンチ又はプラグに充填又は生成される。
【誤訳訂正１９】
【訂正対象書類名】明細書
【訂正対象項目名】００８５
【訂正方法】変更
【訂正の内容】
【００８５】
Ｚ２：
（Ａ）それぞれのＣＭＰ組成物の総質量に基づいて、０．０１質量％〜１．８質量％の総量のコロイドシリカ粒子、
（Ｂ）それぞれのＣＭＰ組成物の総質量に基づいて、０．００８質量％〜０．０８質量％の総量の６，６’，６’’−（１，３，５−トリアジン−２，４，６−トリイルトリイミノ）トリヘキサン酸、
（Ｃ）それぞれのＣＭＰ組成物の総質量に基づいて０．３５質量％〜０．８質量％の総量の、グリシン、アラニン、ロイシン、バリン、システイン、セリン及びプロリン又はそれらの塩からなる群から選択された、少なくとも１種のアミノ酸（Ｃ）、
（Ｄ）それぞれのＣＭＰ組成物の総質量に基づいて、０．２質量％〜１．５質量％の総量の過酸化水素、
（Ｅ）水性媒体、
ここで、ＣＭＰ組成物（Ｑ）は、７．８〜８．９のｐＨを有する。
【誤訳訂正２０】
【訂正対象書類名】明細書
【訂正対象項目名】００９９
【訂正方法】変更
【訂正の内容】
【００９９】
ウェハに対する負荷は、例えば、しばしばバッキングフィルムと呼ばれる柔軟なパッドで覆われている、鋼製の平らなプレートにより適用することができる。より進化した装置を使用する場合、空気又は窒素の圧力を負荷された可撓性膜がウェハをパッド上に押し付ける。硬質研磨パッドを使用する場合、ウェハ上の下向き圧力分布が、硬質プラテン配置を有するキャリアよりもより均一であるので、このような膜キャリアは、低い下向き力のプロセスに好ましい。また、ウェハ上の圧力分布を制御するオプションを有するキャリアも、本発明に従って使用することができる。それらは、通常、互いに独立して一定の程度まで負荷することができる多数の異なるチャンバを備えるように設計されている。
【誤訳訂正２１】
【訂正対象書類名】明細書
【訂正対象項目名】０１０２
【訂正方法】変更
【訂正の内容】
【０１０２】
本発明により使用されたＣＭＰ組成物は、すぐに使用できるスラリーとしてＣＭＰ方法に使用することができ、長い貯蔵寿命を有し、長時間にわたって安定な粒径分布を示す。したがって、それらは、容易に取り扱い及び保管することができる。それらは、優れた研磨性能、特にコバルトの高い材料除去速度（ＭＲＲ）と組み合わせてコバルト及び／又はコバルト合金の低い静的エッチング速度を示す。その成分の量が最小に抑えられるので、本発明により使用されるＣＭＰ組成物は、それぞれ費用効果が高い方法で使用することができる。
【誤訳訂正２２】
【訂正対象書類名】明細書
【訂正対象項目名】０１１２
【訂正方法】変更
【訂正の内容】
【０１１２】
スラリー調製の標準手順：
超純水中に所要の量のグリシンを溶解することにより、１０質量％のグリシンの水溶液を調製する。２０分攪拌した後、４．８質量％ＫＯＨ水溶液を添加することにより、溶液を中和し、ｐＨを８．０５±０．１まで調整する。濃度を調整するために、残りの水を添加してもよい。超純水中に所要の量のトリアジン誘導体（Ｂ）を溶解し、全ての固体トリアジン誘導体（Ｂ）が溶解するまで３０分攪拌することにより、１質量％のそれぞれのトリアジン誘導体（Ｂ）の水性原液を調製する。
【誤訳訂正２３】
【訂正対象書類名】明細書
【訂正対象項目名】０１１８
【訂正方法】変更
【訂正の内容】
【０１１８】
Ａ２は、約９０ｇ／ｍ２の比表面積、３５ｎｍの平均一次粒子径（ｄ１）及び７５ｎｍの平均二次粒子径（ｄ２）（Ｈｏｒｉｂａ器具を介して、動的光散乱技術を用いて決定した）を有する凝集粒子（例えば、Ｆｕｓｏ（登録商標）ＰＬ−３Ｈ）を使用）である。
【誤訳訂正２４】
【訂正対象書類名】明細書
【訂正対象項目名】０１２０
【訂正方法】変更
【訂正の内容】
【０１２０】
【表２】
2018506609.tif 000003